(57)【要約】【課題】  他の医療従事者に負担をかけることなく、ベッドの移動が速やかに行われるようにすることを目的とする。【解決手段】  ベッドＢに固定され、ナースコール子機の操作ユニット１を接続する中継ユニット１０にベッドＢの移動を検知する移動検知部１３を設け、移動検知部１３がベッドＢの移動を検知した場合に、中継ユニット１０は脱落の呼び出しを保留する脱落保留信号を出力するようにしている。これにより、ベッドＢの移動が中継ユニット１０にて検知されることによりナースコール親機５０による脱落呼び出しの報知が保留されるので、ベッドＢの移動を行う医療従事者は、他の医療従事者に負担をかけずにベッドＢの移動を速やかに実行することができる。従って、医療従事者の業務効率を向上させることができる。【選択図】        図２
2009239856.tif 000002
【特許請求の範囲】
【請求項１】
患者による呼び出し操作を行う操作ユニットと、
前記操作ユニットを接続する接続部を少なくとも備え、ベッドに固定される中継ユニットと、
壁面に設置され、前記中継ユニットを着脱自在に有線にて接続し、前記呼び出し操作により呼び出し信号を出力するとともに、前記中継ユニットが脱落した場合に脱落呼び出し信号を出力するウォールユニットと、
ナースセンタに設置され、前記呼び出し信号および前記脱落呼び出し信号を入力し、前記呼び出し信号または前記脱落呼び出し信号の入力を報知するナースコール親機とを備えたナースコールシステムであって、
前記中継ユニットは、前記ベッドの移動を検知する移動検知部と、前記移動検知部が前記ベッドの移動を検知した場合に、前記脱落呼び出し信号の出力を保留させる脱落保留信号を前記ウォールユニットに出力する中継ユニット制御部とを備え、
前記ウォールユニットは、前記脱落保留信号を前記中継ユニットから入力した場合に、前記脱落呼び出し信号の出力を保留することを特徴とするナースコールシステム。
【請求項２】
前記ウォールユニットは、脱落した前記中継ユニットが前記ウォールユニットに再び接続された場合に、前記脱落信号の保留を解除することを特徴とする請求項１に記載のナースコールシステム。
【請求項３】
患者による呼び出し操作を行う操作ユニットと、
壁面に設置され、前記操作ユニットを着脱自在に有線にて接続し、前記呼び出し操作により呼び出し信号を出力するとともに、前記操作ユニットが脱落した場合に脱落呼び出し信号を出力するウォールユニットと、
ナースセンタに設置され、前記呼び出し信号および前記脱落呼び出し信号を入力し、前記呼び出し信号または前記脱落呼び出し信号の入力を報知するナースコール親機とを備えたナースコールシステムであって、
前記操作ユニットは、前記ベッドの移動を検知する移動検知部と、前記移動検知部が前記ベッドの移動を検知した場合に、前記脱落呼び出し信号の出力を保留させる脱落保留信号を前記ウォールユニットに出力する操作ユニット制御部とを備え、
前記ウォールユニットは、前記脱落保留信号を前記操作ユニットから入力した場合に、前記脱落呼び出し信号の出力を保留することを特徴とするナースコールシステム。
【請求項４】
前記ウォールユニットは、脱落した前記操作ユニットが前記ウォールユニットに再び接続された場合に、前記脱落信号の保留を解除することを特徴とする請求項３に記載のナースコールシステム。
【発明の詳細な説明】
【技術分野】
【０００１】
本発明は、ナースコールシステムに関し、特に、ナースコール子機またはナースコール子機を中継する中継ユニットをベッドに固定し、ナースコール子機に設けられた呼び出しボタンを押下することで呼び出しを行うナースコールシステムに用いて好適なものである。
【背景技術】
【０００２】
一般に、病院や介護施設などでは、ナースコールシステムが用いられている。ナースコールシステムは、病院の患者が看護師のサポートを必要とする際、または、介護施設の被介護者が介護師のサポートを必要とする際に、患者や被介護者（以下、単に患者と記載する）が呼び出しボタンなどを押下することによって看護師や介護師（以下、医療従事者と記載する）を呼び出すことができるように成されたシステムである。
【０００３】
多くのナースコールシステムは、ベッドサイドなどに設置するナースコール子機と、医療従事者が常駐するナースセンタに設置するナースコール親機と、病室等の各部屋の出入口付近に設置する廊下灯と、通話やデータの送受信に関する制御を行う制御機とを備えて構成されている。また、医療従事者が携帯するＰＨＳ（Personal Handyphone System）端末とＰＢＸ（Private Branch Exchange：電話交換機）とを組み合わせて移動中の医療従事者が呼び出しに応答するナースコールシステムも提供されている。
【０００４】
ナースコール親機には、ＬＥＤ（light-emitting diode）などのランプと患者名とを対応付けて表示パネルに表示するボード型のものがある。このボード型のナースコール親機では、患者からの呼び出しが発生すると、その患者に対応するランプを点灯（または点滅）させて呼び出しを行った患者を視認できるようにしている。また、ナースコール親機には、パソコンを利用したものもある。このパソコンを利用したナースコール親機では、実際のベッドの配置と同じようにディスプレイ上にレイアウト表示を行い、レイアウト上に患者名を表示する。そして、このようなナースコール親機は、患者からの呼び出しが行われたときに、その患者に対応する部分を強調して表示（例えば、ポップアップ表示など）することにより、どの患者が呼び出しを行ったかを医療従事者が視認することができるようにしている。
【０００５】
ナースコール子機は、患者毎に設置されており、患者が医療従事者を呼び出すための呼び出しボタンを備えている。ここで、ナースコール子機は、呼び出しボタンを備え、患者の手元に置かれる操作ユニットと、壁面に設置され、有線により操作ユニットを接続するウォールユニットとにより構成される。
【０００６】
ところで、ナースコールシステムが設置された施設では、人手不足などの理由により、医療従事者は患者の状態を頻繁に監視することができない。そのため、患者がベッドから降りて徘徊していることを監視するために、ベッドのサイドフレームの両端間に患者の通過を検出する赤外線センサを設け、赤外線センサからの検知信号がコントロールボックスを介してナースコール親機に出力される技術が知られている（例えば、特許文献１など）。また、特許文献１に記載の技術では、赤外線センサからの検知信号を入力するコントロールボックスにナースコール用の押しボタンを搭載した操作ユニットを接続することができる。ここで、コントロールボックスには、赤外線センサや操作ユニットだけではなく、様々な機器が接続可能であり、それらの機器からの信号を中継する中継ユニットとしての役割を担うことができる。
【特許文献１】特開平７−８４６２号公報
【０００７】
一方、操作ユニットとウォールユニットとを有線にて接続する場合に、操作ユニットに設けたコードの先端のプラグをウォールユニットに設けたコンセントに接続し、操作ユニットが引っ張られて、プラグがコンセントから抜けると、ナースコール親機にて脱落を報知する技術が知られている（例えば、特許文献２など）。これにより、ナースコール子機からの呼び出しが確実に行われるようにしている。
【特許文献１】特開２００８−４２４５９号公報
【０００８】
このように、特許文献２に記載の脱落の報知を行うことがナースコールシステムでは一般的に行われている。そのため、特許文献１に記載の中継ユニットを使用した場合や、操作ユニットがベッドの下に落ちないように操作ユニットをベッドに固定したような場合などでは、ベッドが移動すると中継ユニットや操作ユニットも移動して、中継ユニットや操作ユニットがウォールユニットから外れ、ナースコール親機が脱落呼び出しの報知を行うことがある。
【０００９】
しかしながら、ベッドの移動は医療従事者などによって行われるため、ベッドの移動によって中継ユニットや操作ユニットがウォールユニットから外れても、医療従事者は、ベッドの移動が終了した後に速やかに中継ユニットや操作ユニットを再び接続することができる。そのため、ナースコール親機が脱落呼び出しを報知してしまうと、他の医療従事者が脱落呼び出しに対応しなければならなくなってしまうという問題があった。
【発明の開示】
【発明が解決しようとする課題】
【００１０】
本発明は、このような問題を解決するために成されたものであり、他の医療従事者に負担をかけることなく、ベッドの移動が速やかに行われるようにすることを目的とする。
【課題を解決するための手段】
【００１１】
上述した課題を解決するために、本発明では、ベッドに固定され、ナースコール子機の操作ユニットを接続する中継ユニットにベッドの移動を検知する移動検知部を設け、移動検知部がベッドの移動を検知した場合に、中継ユニットは脱落呼び出しの報知を保留する脱落保留信号を出力するようにしている。
【００１２】
また、本発明の他の態様によれば、ベッドに固定されたナースコール子機の操作ユニットにベッドの移動を検知する移動検知部を設け、移動検知部がベッドの移動を検知した場合に、脱落呼び出しの報知を保留する脱落保留信号を出力するようにしている。
【発明の効果】
【００１３】
上記のように構成した本発明によれば、ベッドの移動が中継ユニットにて検知されることにより脱落呼び出しの報知が保留されるので、ベッドの移動を行う医療従事者は、他の医療従事者に負担をかけずにベッドの移動を速やかに実行することができる。従って、医療従事者の業務効率を向上させることができる。
【００１４】
また、本発明の他の態様によれば、ベッドの移動が操作ユニットにて検知されることにより脱落呼び出しの報知が保留されるので、ベッドの移動を行う医療従事者は、他の医療従事者に負担をかけずにベッドの移動を速やかに実行することができる。従って、医療従事者の業務効率を向上させることができる。
【発明を実施するための最良の形態】
【００１５】
以下、本発明の一実施形態を図面に基づいて説明する。図１は、本実施形態によるナースコールシステム全体の構成例を示すブロック図である。図１に示すように、本実施形態によるナースコールシステムは、操作ユニット１、中継ユニット１０、ウォールユニット２０、廊下灯３０、制御機４０、ナースコール親機５０を備えて構成されている。ここで、操作ユニット１、中継ユニット１０、ウォールユニット２０は、ナースコール子機を構成している。
【００１６】
操作ユニット１は、病室の各患者が手元で呼び出し操作や通話ができるように中継ユニット１０のコンセントに接続されている。また、操作ユニット１は、患者が医療従事者を呼び出すための呼び出しボタン１ａ、患者が医療従事者と会話を行う際に使用するマイク（図示せず）およびスピーカ（図示せず）を備えている。
【００１７】
中継ユニット１０は、ベッドＢに固定されており、操作ユニットを接続するための接続部１０ａを備えている。ここで、中継ユニット１０は、接続部１０ａを複数備えており、操作ユニット１だけではなく、各種のセンサや医療機器などを接続することができる。また、中継ユニット１０は、コードＣを備えており、コードＣの先端にはプラグ（図示せず）が設けられている。そして、中継ユニット１０は、プラグをウォールユニット２０のコンセント（図示せず）に差し込むことで、中継ユニット１０をウォールユニット２０に接続する。
【００１８】
ウォールユニット２０は、病室の各患者のベッドＢの周辺の壁面に埋め込まれており、壁内の配線を介して廊下灯３０に接続されている。また、ウォールユニット２０は、医療従事者が緊急時に他の医療従事者などを呼び出すための緊急呼び出しボタン（図示せず）、患者が医療従事者を呼び出したときに、医療従事者の操作によりナースコールシステムを元の状態（呼び出し前の状態）に戻すための復旧ボタン２０ａ、中継ユニット１０を接続するためのコンセントを備えている。また、ウォールユニット２０は、患者が医療従事者と会話を行う際に使用するマイクおよびスピーカを必要に応じて備えている。
【００１９】
ここで、中継ユニット１０のプラグとウォールユニット２０のコンセントとは、ある程度以上の力でコードＣが引っ張られた場合に、プラグがコンセントから抜けるような構造となっている。そのため、ベッドＢが矢印Ａ方向に移動させられると、ベッドＢに固定される中継ユニット１０も矢印Ａ方向に移動することとなり、中継ユニット１０のコードＣも矢印Ａ方向に引っ張られる。そして、コードＣの長さで矢印Ａ方向の移動が吸収できなくなり、更にある程度以上の力でコードＣが引っ張られると、プラグがコンセントから抜ける。
【００２０】
廊下灯３０は、病室の出入口の近傍の壁面などに病室毎に設置され、病室内の患者名などを表示する。また、廊下灯３０は、病室内の患者が医療従事者の呼び出しを行うと、呼び出しが行われたことを表示する。また、廊下灯３０は、病室内の患者が医療従事者の呼び出しを行った場合に、医療従事者により応答操作され呼び出しの表示などの呼び出し動作を解除する復旧ボタン３０ａを備えている。制御機４０は、通話やデータの送受信に関する制御を行う。
【００２１】
ナースコール親機５０は、例えば、医療従事者が常駐するナースセンタなどに設置される。また、ナースコール親機５０は、ハンドセット５０ａを備えている。ハンドセット５０ａは、患者からの呼び出し（操作ユニット１による呼び出し）に対する応答の操作または患者を呼び出す操作を行うためのものである。
【００２２】
次に、本発明の主要な構成である操作ユニット１、中継ユニット１０、ウォールユニット２０、ナースコール親機５０について説明する。図２は、本実施形態によるナースコールシステムの主要な構成を示すブロック図である。図２に示すように、操作ユニット１は、操作ユニット制御部２、呼び出し操作部３、操作ユニットインターフェース４を備えて構成されている。また、中継ユニット１０は、中継ユニット制御部１１、中継ユニットインターフェース１２、移動検知部１３を備えて構成されている。また、ウォールユニット２０は、ウォールユニット制御部２１およびウォールユニットインターフェース２２を備えて構成されている。また、ナースコール親機５０は、親機用制御部５１、親機用インターフェース５２、子機識別部５３、呼び出し報知部５４、呼び出し方法判定部５５を備えて構成されている。
【００２３】
操作ユニット制御部２は、操作ユニット１の各構成要素を後述するように制御する。呼び出し操作部３は、呼び出しボタン１ａの操作に連動しており、呼び出しボタン１ａが操作されることで呼び出し信号を生成して出力する。操作ユニットインターフェース４は、コードを介して中継ユニット１０を接続し、中継ユニット１０との間で通信を行うためのものである。
【００２４】
中継ユニット制御部１１は、中継ユニット１０の各構成要素を後述するように制御する。中継ユニットインターフェース１２は、接続部１０ａに接続された操作ユニット１との間で通信を行うためのものである。また、中継ユニットインターフェース１２は、コードＣを介してウォールユニット２０を接続する。中継ユニット制御部１１は、接続された操作ユニット１から入力した呼び出し信号をウォールユニット２０に出力する。このとき、操作ユニット１を接続した接続部１０ｃの位置に応じて、ウォールユニット２０に出力する呼び出し信号をそれぞれ異なる呼び出し信号に変換するようにしても良い。これにより、接続部１０ｃに複数の機器が接続された場合に、どの機器から出力された呼び出し信号であるかを識別することができるようになる。
【００２５】
移動検知部１３は、中継ユニット１０に内蔵されており、ベッドＢに固定された中継ユニット１０の移動を検知する。移動検知部１３としては、公知の加速度センサなどが使用される。ここで、移動検知部１３は、中継ユニット１０の微小な移動（中継ユニット１０の振動など）を検知しないように構成されている。中継ユニット制御部１１は、移動検知部１３がベッドＢの移動を検知したか否かを常時観察している。移動検知部１３がベッドＢの移動を検知したと中継ユニット制御部１１にて判断した場合には、中継ユニット制御部１１は、中継ユニット１０がウォールユニット２０から脱落した（中継ユニット１０のプラグがウォールユニット２０のコンセントから抜けた）ことを報知するための脱落呼び出し信号がウォールユニット２０から出力されることを保留するための脱落保留信号を生成してウォールユニット２０に出力する。
【００２６】
ウォールユニット制御部２１は、ウォールユニット２０の各構成要素を後述するように制御する。ウォールユニットインターフェース２２は、中継ユニット１０を接続し、中継ユニットとの間で通信を行うためのものである。ウォールユニットインターフェース２２が中継ユニット１０から呼び出し信号を入力すると、ウォールユニット制御部２１は、入力した呼び出し信号にウォールユニット２０に個別に割り当てられた識別情報を付加してナースコール親機５０に出力する。
【００２７】
また、ウォールユニット２０に設けられた緊急呼び出しボタン（図示せず）が押下された場合に、ウォールユニット制御部２１は、緊急呼び出し信号を生成してナースコール親機５０に出力する。ここで、緊急呼び出し信号にも識別情報が付加される。
【００２８】
また、ナースコールシステムが呼び出し状態である場合に、ウォールユニット２０に設けられた復旧ボタン２０ａが押下されたとき、ウォールユニット制御部２１は、ナースコールシステムを元の状態に戻すよう各構成要素を制御する。
【００２９】
また、コンセントに接続されている中継ユニット１０のプラグが抜けた場合に、ウォールユニット制御部２１は、脱落呼び出し信号を生成してナースコール親機５０に出力する。この脱落呼び出し信号にも呼び出し信号と同様に識別情報が付加される。また、ウォールユニット制御部２１は、ウォールユニットインターフェース２２にて中継ユニット１０から脱落保留信号を入力すると、脱落呼び出し信号をナースコール親機５０に出力することを保留する。
【００３０】
脱落呼び出し信号の出力が保留されている場合に、コンセントに接続されている中継ユニット１０のプラグが抜けると、ウォールユニット制御部２１は、脱落呼び出し信号を生成するものの、ナースコール親機５０への出力を行わない。なお、本実施形態では、脱落呼び出し信号の生成を保留していないが、これに限定されない。例えば、脱落呼び出し信号の生成自体を保留するようにしても良い。
【００３１】
脱落呼び出し信号の出力が保留されている状態で、かつ、中継ユニット１０のプラグがウォールユニット２０のコンセントから抜けている状態である場合に、中継ユニット１０のプラグをウォールユニット２０のコンセントに再び差し込むと、ウォールユニット制御部２１は、脱落呼び出し信号の出力の保留を解除する。
【００３２】
親機用制御部５１は、ナースコール親機５０の各構成要素を後述するように制御する。親機用インターフェース５２は、ウォールユニット２０との間で通話や各種信号の受信を行う。親機用インターフェース５２が受信する信号としては、ウォールユニット２０から呼び出し信号および脱落呼び出し信号を受信する。子機識別部５３は、親機用インターフェース５２が入力した呼び出し信号または脱落呼び出し信号に付加されている識別情報を基に、呼び出しまたは脱落呼び出しを行ったウォールユニット２０を特定する。
【００３３】
呼び出し報知部５４は、呼び出しまたは脱落呼び出しを報知するものであり、ＬＥＤなどの発光装置やスピーカなどの音声出力装置が使用される。親機用インターフェース５２が呼び出し信号または脱落呼び出し信号を入力すると、親機用制御部５１は、呼び出し報知部５４を動作させる。ここで、呼び出し報知部５４は、呼び出しおよび脱落呼び出しを異なる方法で報知することが可能であり、ＬＥＤの発光状態を点灯および点滅の二種類としたり、スピーカから出力される音声を二種類としたりすることなどにより異なる方法での報知を実現する。なお、ナースコール親機５０をコンピュータにより構成した場合には、コンピュータのディスプレイの表示により呼び出しを報知するようにしても良い。
【００３４】
ベッドＢが固定された状態で、中継ユニット１０のコードＣが引っ張られ、中継ユニット１０のプラグがウォールユニット２０のコンセントから抜けると、ウォールユニット制御部２１は、脱落呼び出し信号を生成し、ナースコール親機５０に出力する。ナースコール親機５０では、親機用インターフェース５２が脱落呼び出し信号を入力し、親機用制御部５１は、呼び出し報知部５４を動作させて脱落呼び出しの報知を行う。
【００３５】
一方、医療従事者がベッドＢを移動させると中継ユニット１０の移動検知部１３がベッドの移動を検知する。中継ユニット制御部１１は、脱落保留信号を生成して中継ユニットインターフェース１２を介して出力する。ウォールユニット２０では、ウォールユニットインターフェース２２が脱落保留信号を入力する。ウォールユニット制御部２１は、脱落呼び出し信号の出力を保留する。
【００３６】
この状態で、ベッドＢの移動に伴って中継ユニット１０のコードＣが引っ張られ、中継ユニット１０のプラグがウォールユニット２０のコンセントから抜けると、ウォールユニット制御部２１は、脱落呼び出し信号を生成するが、脱落呼び出し信号の出力は保留されたままの状態であるから、脱落呼び出し信号はナースコール親機５０に入力しない。そのため、ナースコール親機５０では、脱落呼び出しの報知が行われない。
【００３７】
以上詳しく説明したように、本実施形態によれば、ベッドＢに固定され、ナースコール子機の操作ユニット１を接続する中継ユニット１０にベッドＢの移動を検知する移動検知部１３を設け、移動検知部１３がベッドＢの移動を検知した場合に、中継ユニット１０は脱落の呼び出しを保留する脱落保留信号を出力するようにしている。これにより、ベッドＢの移動が中継ユニット１０にて検知されることによりナースコール親機５０による脱落呼び出しの報知が保留されるので、ベッドＢの移動を行う医療従事者は、他の医療従事者に負担をかけずにベッドＢの移動を速やかに実行することができる。従って、医療従事者の業務効率を向上させることができる。
【００３８】
なお、前述した実施形態では、ウォールユニット２０では、脱落呼び出しを報知していないが、これに限定されない。例えば、ウォールユニット２０に脱落呼び出しを報知するための警告報知部（図示せず）を設け、コンセントに接続されている中継ユニット１０のプラグが外れた場合に警告報知部を動作させるようにしても良い。これにより、ベッドＢを移動する場合に、中継ユニット１０のプラグがウォールユニット２０のコンセントから抜けたときに、ナースコール親機５０では脱落呼び出しの報知が行わないものの、ベッドＢの設置されている病室内では、脱落呼び出しの報知が行われる。従って、ベッドＢの移動を行った医療従事者に対してのみ脱落呼び出しを報知することができる。
【００３９】
また、前述した実施形態では、中継ユニット１０を使用しているが、これに限定されない。例えば、操作ユニット１がベッドＢに固定されて使用されるような場合には、操作ユニット１に移動検知部を設け、移動検知部がベッドＢの移動を検知したときに、操作ユニット制御部２が脱落保留信号を生成して出力するようにしても良い。
【００４０】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４１】
本発明は、病院などで患者が医療従事者を呼び出すナースコールシステムに有用である。
【図面の簡単な説明】
【００４２】
【図１】本実施形態によるナースコールシステムの全体の構成例を示すブロック図である。
【図２】本実施形態によるナースコールシステムの主要な構成を示すブロック図である。
【符号の説明】
【００４３】
１    操作ユニット
２    操作ユニット制御部
３    呼び出し操作部
４    操作ユニットインターフェース
１０    中継ユニット
１１    中継ユニット制御部
１２    中継ユニットインターフェース
１３    移動検知部
２０    ウォールユニット
２１    ウォールユニット制御部
２２    ウォールユニットインターフェース
５０    ナースコール親機
５１    親機用制御部
５２    親機用インターフェース
５３    子機識別部
５４    呼び出し報知部
【図１】
2009239856.tif 000003
【図２】
2009239856.tif 000004